(57)【要約】【課題】比較的に簡単にヘッドアクチュエータや記録媒体に対して規定の間隔を確保することができる変位規制部材を提供する。【解決手段】アクチュエータアーム２０が静止位置に位置する際にアクチュエータアーム２０には突起４４が向き合わせられる。アクチュエータアーム２０に大きな衝撃が加わっても、アクチュエータアーム２０が規定の変位量で撓んだ時点でアクチュエータアーム２０は突起４４に受け止められる。アクチュエータアーム２０とディスク１３との衝突は回避される。規定の変位量はアクチュエータアーム２０と突起４４との間隔ｄに従って決定される。突起４４に基づき間隔ｄは設定されることから、従来のように平坦面全体が高い精度で仕上げられる場合に比べて、製造の精度や手間は著しく軽減されることができる。低コストで突起すなわち変位規制部材は製造されることができる。【選択図】図３
2006351199.tif 000002
【特許請求の範囲】
【請求項１】
記録媒体と、媒体対向面で記録媒体に向き合わせられ、所定の静止位置から支軸回りで揺動するヘッドアクチュエータと、ヘッドアクチュエータが静止位置に位置する際にヘッドアクチュエータの媒体対向面に向き合わせられる突起とを備えることを特徴とする記録媒体駆動装置。
【請求項２】
請求項１に記載の記録媒体駆動装置において、前記ヘッドアクチュエータは、前記静止位置で記録媒体の外縁よりも外側にヘッドアクチュエータの先端を位置決めすることを特徴とする記録媒体駆動装置。
【請求項３】
請求項２に記載の記録媒体駆動装置において、表面で前記突起を受け止める平板部材をさらに備え、この平板部材の端面には、記録媒体の外周面に向き合うシュラウド面が規定されることを特徴とする記録媒体駆動装置。
【請求項４】
記録媒体と、媒体対向面で記録媒体に向き合わせられ、所定の静止位置で記録媒体の外縁よりも外側に待避するヘッドアクチュエータと、ヘッドアクチュエータが静止位置に位置する際にヘッドアクチュエータの媒体対向面に向き合わせられる変位規制部材とを備えることを特徴とする記録媒体駆動装置。
【請求項５】
記録媒体と、所定の間隔で記録媒体の表面に向き合わせられる突起とを備えることを特徴とする記録媒体駆動装置。
【発明の詳細な説明】
【技術分野】
【０００１】
本発明は、磁気ディスク（記録媒体）を利用するハードディスク駆動装置（ＨＤＤ）といった記録媒体駆動装置に関する。
【背景技術】
【０００２】
例えばハードディスク駆動装置（ＨＤＤ）では、磁気ディスクの静止時、ヘッドアクチュエータは所定の静止位置に位置決めされる。この静止位置でヘッドアクチュエータのアクチュエータアームは少なくとも部分的に磁気ディスクの表面に向き合わせられる。このとき、ＨＤＤに外部から衝撃が加わるとアクチュエータアームは撓む。撓みに基づきアクチュエータアームは磁気ディスクの表面に衝突する。こういった衝突に基づき磁気ディスクの表面には例えば引っ掻き傷が形成されてしまう。引っ掻き傷に基づき発生するコンタミネーションは磁気情報の読み書きを阻害してしまう。
【０００３】
例えば特開平１１−１４４４１１号公報や特開平１１−３４５４７１号公報に開示されるように、アクチュエータアームの撓みを規制する変位規制部材は提案される。変位規制部材は平坦面でアクチュエータアームに向き合わせられる。平坦面でアクチュエータアームが受け止められる結果、アクチュエータアームの撓みは最小限に制限されることができる。したがって、アクチュエータアームと磁気ディスクとの衝突は回避されることができる。
【発明の開示】
【発明が解決しようとする課題】
【０００４】
変位規制部材とアクチュエータアームとの間には規定の間隔が設定されなければならない。間隔が狭すぎると、アクチュエータアームの揺動時にアクチュエータアームと変位規制部材とが接触しやすくなってしまう。磁気ヘッドの位置決めに支障をきたす。その一方で、間隔が広すぎれば、アクチュエータアームの撓みが十分に抑制されず、アクチュエータアームと磁気ディスクとの間で衝突が発生してしまう。変位規制部材の取り付けにあたって平坦面全体にわたって規定の間隔を確保することは難しい。特に、１枚の磁気ディスクに対して表裏面で１対のアクチュエータアームが設置される場合には、アクチュエータアーム同士の間に変位規制部材は配置されなければならない。さらに高い位置決め精度や取り付け精度が要求される。
【０００５】
本発明は、上記実状に鑑みてなされたもので、比較的に簡単にヘッドアクチュエータや記録媒体に対して規定の間隔を確保することができる変位規制部材を提供することを目的とする。
【課題を解決するための手段】
【０００６】
上記目的を達成するために、第１発明によれば、記録媒体と、媒体対向面で記録媒体に向き合わせられ、所定の静止位置から支軸回りで揺動するヘッドアクチュエータと、ヘッドアクチュエータが静止位置に位置する際にヘッドアクチュエータの媒体対向面に向き合わせられる突起とを備えることを特徴とする記録媒体駆動装置が提供される。
【０００７】
静止位置でヘッドアクチュエータに大きな衝撃が加わると、ヘッドアクチュエータは任意の方向に撓む。例えばヘッドアクチュエータの先端は記録媒体に向かって変位する。ヘッドアクチュエータが規定の変位量で撓むと、突起はヘッドアクチュエータを受け止める。その結果、ヘッドアクチュエータの撓みは制限される。こうしてヘッドアクチュエータと記録媒体との衝突は回避される。規定の変位量はヘッドアクチュエータと突起との間隔に従って決定される。
【０００８】
こういった記録媒体駆動装置では、突起とヘッドアクチュエータとの間に規定の間隔が設定されなければならない。間隔が狭すぎると、ヘッドアクチュエータの揺動時にヘッドアクチュエータと突起とが相互に接触してしまう。その一方で、間隔が広すぎれば、ヘッドアクチュエータの撓みが十分に抑制されることができず、その結果、ヘッドアクチュエータと記録媒体との間で衝突が引き起こされてしまう。前述の記録媒体駆動装置では、突起とヘッドアクチュエータの媒体対向面との間で間隔は設定されればよい。従来のように平坦面全体が高い精度で仕上げられる場合に比べて、製造の精度や手間は著しく軽減されることができる。低コストで突起すなわち変位規制部材は製造されることができる。突起は例えばドーム形状に形成されればよい。
【０００９】
特に、こういった記録媒体駆動装置では、ヘッドアクチュエータは、静止位置で記録媒体の外縁よりも外側にヘッドアクチュエータの先端を位置決めしてもよい。こういった場合に、例えばハードディスク駆動装置では、所定の静止位置でヘッドアクチュエータの先端はいわゆるランプ部材に支持される。前述のようにヘッドアクチュエータが撓むと、ヘッドアクチュエータの先端は支軸に向かって引き寄せられる。このとき、ヘッドアクチュエータの撓みが抑制されれば、ヘッドアクチュエータの先端の変位量は抑制される。したがって、ヘッドアクチュエータの先端は確実にランプ部材上に保持されることができる。例えばヘッドアクチュエータの先端に結合されるロードバーでヘッドアクチュエータの先端がランプ部材に受け止められる場合には、ロードバーの長さはできる限り縮小されることができる。ヘッドアクチュエータの撓みが十分に抑制されないと、ヘッドアクチュエータの先端はランプ部材から落下してしまうことがある。
【００１０】
突起は、支軸の中心軸と、静止位置に位置するヘッドアクチュエータの重心とを含む１平面よりも記録媒体側に配置されることが望まれる。例えば、前述のようにヘッドアクチュエータが突起に受け止められる際に、突起やヘッドアクチュエータの変形で完全に衝撃が吸収され切らないと、ヘッドアクチュエータにはさらに捻れ変形が引き起こされる。突起の衝突にも拘わらずヘッドアクチュエータの重心の変位は継続される。このとき、突起がヘッドアクチュエータの重心よりも記録媒体側に配置されれば、ヘッドアクチュエータは必ず記録媒体から遠ざかる方向に捻れる。ヘッドアクチュエータと記録媒体との衝突を回避しつつ十分に衝撃は吸収されることができる。
【００１１】
以上のような記録媒体駆動装置では、突起は平板部材上に受け止められればよい。このとき、平板部材の端面には、記録媒体の外周面に向き合うシュラウド面が規定されてもよい。シュラウド面は、規定の間隔で記録媒体の外周に向き合わせられる。シュラウド面の働きで、記録媒体の移動（回転）中に記録媒体の外周に沿って生起される気流は整流されることができる。そういった気流に基づく記録媒体の振動やぶれは極力抑制されることができる。
【００１２】
第２発明によれば、記録媒体と、媒体対向面で記録媒体に向き合わせられ、所定の静止位置で記録媒体の外縁よりも外側に待避するヘッドアクチュエータと、ヘッドアクチュエータが静止位置に位置する際にヘッドアクチュエータの媒体対向面に向き合わせられる変位規制部材とを備えることを特徴とする記録媒体駆動装置が提供される。
【００１３】
かかる構成によれば、所定の静止位置でヘッドアクチュエータは記録媒体の外縁よりも外側に待避することから、たとえヘッドアクチュエータが大きく撓んでもヘッドアクチュエータと記録媒体との衝突は確実に回避されることができる。しかも、前述のような突起の働きによれば、ヘッドアクチュエータの撓みは十分に抑制されることができる。ヘッドアクチュエータの先端の変位量は抑制される。例えばヘッドアクチュエータの先端に結合されるロードバーでヘッドアクチュエータの先端がランプ部材に受け止められる場合でも、ロードバーは確実にランプ部材上に保持されることができる。ロードバーの長さはできる限り縮小されることができる。ヘッドアクチュエータの撓みが十分に抑制されないと、ロードバーはランプ部材から落下してしまうことがある。
【００１４】
第３発明によれば、記録媒体と、所定の間隔で記録媒体の表面に向き合わせられる突起とを備えることを特徴とする記録媒体駆動装置が提供される。
【００１５】
例えば大きな衝撃に基づき記録媒体が変位しても、記録媒体は突起に受け止められる。記録媒体の変位は規定の変位量で制限される。こうして記録媒体と隣接部品との衝突は確実に回避されることができる。規定の変位量は記録媒体と突起との間隔に従って決定される。
【００１６】
こういった記録媒体駆動装置では、突起と記録媒体との間に規定の間隔が設定されなければならない。間隔が狭すぎると、記録媒体の移動（回転）時に記録媒体と突起とが相互に接触してしまう。その一方で、間隔が広すぎれば、記録媒体の変位が十分に抑制されることができず、その結果、記録媒体と隣接部品との間で衝突が引き起こされてしまう。前述の記録媒体駆動装置では、突起と記録媒体との間で間隔は設定されればよい。従来のように平坦面全体が高い精度で仕上げられる場合に比べて、製造の精度や手間は著しく軽減されることができる。低コストで突起すなわち変位規制部材は製造されることができる。突起は例えばドーム形状に形成されればよい。
【００１７】
特に、突起は記録媒体の変位時に記録媒体上のデータゾーンの外側で記録媒体を受け止めることが望まれる。こういった構成によれば、突起と記録媒体との衝突に基づくデータゾーンの損傷は確実に回避されることができる。
【発明の効果】
【００１８】
以上のように本発明によれば、比較的に簡単にヘッドアクチュエータや記録媒体に対して規定の間隔を確保することができる変位規制部材は提供されることができる。
【発明を実施するための最良の形態】
【００１９】
以下、添付図面を参照しつつ本発明の一実施形態を説明する。
【００２０】
図１は、本発明の第１実施形態に係る磁気記録媒体駆動装置の一具体例すなわちハードディスク駆動装置（ＨＤＤ）１１の内部構造を概略的に示す。このＨＤＤ１１は、例えば平たい直方体の内部空間を区画する箱形の筐体本体１２を備える。収容空間には、記録媒体としての１枚以上の磁気ディスク１３が収容される。磁気ディスク１３はスピンドルモータ１４の回転軸に装着される。スピンドルモータ１４は例えば７２００ｒｐｍや１００００ｒｐｍといった高速度で磁気ディスク１３を回転させることができる。筐体本体１２には、筐体本体１２との間で収容空間を密閉する蓋体すなわちカバー（図示されず）が結合される。
【００２１】
磁気ディスク１３の表面には、最内周記録トラック１５と最外周記録トラック１６との間にデータゾーン１７が区画される。データゾーン１７には同心円状に記録トラックが描かれる。最内周記録トラック１５の内側や最外周記録トラック１６の外側に区画される非データゾーンには情報すなわちデータは記録されない。
【００２２】
収容空間にはヘッドアクチュエータ１８がさらに収容される。このヘッドアクチュエータ１８は、垂直方向に延びる支軸１９に回転自在に連結される。ヘッドアクチュエータ１８は、支軸１９から水平方向に延びる複数のアクチュエータアーム２０と、各アクチュエータアーム２０の先端に取り付けられてアクチュエータアーム２０から前方に延びる弾性サスペンション２１とを備える。アクチュエータアーム２０には所定の剛性が与えられる。こういったアクチュエータアーム２０は、例えばステンレス板から打ち抜き加工に基づき成型されてもよく、アルミニウム材料から押し出し加工に基づき成型されてもよい。アクチュエータアーム２０は磁気ディスク１３の表面および裏面ごとに設置される。
【００２３】
アクチュエータアーム２０は、図１から明らかなように、磁気ディスク１３の静止時に所定の静止位置に位置決めされる。この静止位置では、弾性サスペンション２１の先端は磁気ディスク１３の外縁よりも外側に位置決めされる。アクチュエータアーム２０は静止位置から支軸１９回りで揺動する。こうしてアクチュエータアーム２０が支軸１９回りで揺動すると、弾性サスペンション２１の先端は最内周記録トラック１５と最外周記録トラック１６との間でデータゾーン１７を横切ることができる。データゾーン１７の横断中、アクチュエータアーム２０は媒体対向面で磁気ディスク１３に向き合わせられる。アクチュエータアーム２０の揺動は例えばボイスコイルモータ（ＶＣＭ）といった動力源２２の働きを通じて実現されればよい。
【００２４】
弾性サスペンション２１の先端では、いわゆるジンバルばね（図示されず）の働きで浮上ヘッドスライダ２３が片持ち支持される。浮上ヘッドスライダ２３には、磁気ディスク１３の表面に向かって弾性サスペンション２１から押し付け力が作用する。磁気ディスク１３の回転に基づき磁気ディスク１３の表面で生成される気流の働きで浮上ヘッドスライダ２３には浮力が作用する。弾性サスペンション２１の押し付け力と浮力とのバランスで磁気ディスク１３の回転中に比較的に高い剛性で浮上ヘッドスライダ２３は浮上し続けることができる。こうした浮上ヘッドスライダ２３の浮上中に、前述のようにアクチュエータアーム２０が揺動すると、浮上ヘッドスライダ２３は磁気ディスク１３上の所望の記録トラックに位置決めされることができる。アクチュエータアーム２０が静止位置に位置決めされると、浮上ヘッドスライダ２３は最外周記録トラック１６を越えて磁気ディスク１３から外れた位置に到達する。
【００２５】
浮上ヘッドスライダ２３にはいわゆる磁気ヘッドすなわち電磁変換素子（図示されず）が搭載される。この電磁変換素子は、例えば、薄膜コイルパターンで生成される磁界を利用して磁気ディスク１３に情報を書き込む薄膜磁気ヘッドといった書き込み素子（図示されず）と、スピンバルブ膜やトンネル接合膜の抵抗変化を利用して磁気ディスク１３から情報を読み出す巨大磁気抵抗効果素子（ＧＭＲ）やトンネル接合磁気抵抗効果素子（ＴＭＲ）といった読み出し素子（図示されず）とで構成されればよい。
【００２６】
弾性サスペンション２１の先端には、弾性サスペンション２１の先端からさらに前方に延びるロードバー２４が固定される。ロードバー２４は、アクチュエータアーム２０の揺動に基づき磁気ディスク１３の半径方向に移動することができる。ロードバー２４の移動経路上には磁気ディスク１３の外側でランプ部材２５が配置される。アクチュエータアーム２０が静止位置に位置決めされると、ランプ部材２５はロードバー２４を受け止めることができる。ロードバー２４およびランプ部材２５は、後述されるように、協働していわゆるロード／アンロード機構を構成する。ランプ部材２５は例えば硬質プラスチック材料から成型されればよい。
【００２７】
磁気ディスク１３の外側ではアクチュエータアーム２０に隣接して変位規制部材２６が設置される。この変位規制部材２６は、筐体本体１２に固定される土台２７から水平方向に磁気ディスク１３の外縁に向かって広がる複数枚の平板部材２８を備える。各平板部材２８は、支軸１９の中心軸２９とアクチュエータアーム２０の重心３１とを含む垂直平面３２を横切る。その他、変位規制部材２６の詳細は後述される。変位規制部材２６は例えば硬質プラスチック材料から成型されればよい。
【００２８】
図２に示されるように、ランプ部材２５は、筐体本体１２の底板に例えばねじ留めされる取り付け台（図示されず）から水平方向に磁気ディスク１３の回転軸に向かって延びるアーム部材３６を備える。アーム部材３６には、最外周記録トラック１６の外側で磁気ディスク１３の表裏の非データゾーンに向き合う例えば１対の滑り台３７が一体に形成される。各滑り台３７には、磁気ディスク１３の半径方向外側に向かうにつれて磁気ディスク１３の表面から徐々に遠ざかる傾斜面３８が規定される。
【００２９】
いま、磁気ディスク１３の回転が停止する場面を想定する。情報の書き込みや読み出しが完了すると、動力源２２は静止位置に向けて順方向にアクチュエータアーム２０を駆動する。浮上ヘッドスライダ２３が最外周記録トラック１６を越えて非データゾーンすなわちランディングゾーンに向き合うと、ロードバー２４は滑り台３７の傾斜面３８に接触する。さらにアクチュエータアーム２０が揺動すると、ロードバー２４は傾斜面３８を登っていく。ロードバー２４が傾斜面３８を登るにつれて、浮上ヘッドスライダ２３は磁気ディスク１３の表面から徐々に遠ざかっていく。こうしてロードバー２４はランプ部材２５に受け止められる。アクチュエータアーム２０が完全に静止位置に位置決めされると、ロードバー２４は窪み３９に受け入れられる。磁気ディスク１３の回転は停止する。こうしてロードバー２４はランプ部材２５上に保持されることから、無風状態にも拘わらず、磁気ディスク１３に対する浮上ヘッドスライダ２３の衝突や接触は回避されることができる。
【００３０】
ＨＤＤ１１が情報の書き込みや読み出しといった指令を受け取ると、まず、磁気ディスク１３の回転が始まる。磁気ディスク１３の回転が定常状態に達すると、動力源２２は前述の順方向とは反対の逆方向にアクチュエータアーム２０を駆動し始める。ロードバー２４は窪み３９から傾斜面３８に向かって進んでいく。さらにアクチュエータアーム２０が揺動すると、ロードバー２４は傾斜面３８を下っていく。
【００３１】
こうしてロードバー２４が傾斜面３８を下っていく間に浮上ヘッドスライダ２３は磁気ディスク１３の表面に向き合う。浮上ヘッドスライダ２３には、磁気ディスク１３の表面に沿って生成される気流に基づき浮力が付与される。その後、アクチュエータアーム２０がさらに揺動すると、ロードバー２４は傾斜面３８すなわちランプ部材２５から離脱する。磁気ディスク１３が定常状態で回転する結果、ランプ部材２５に支えられなくても浮上ヘッドスライダ２３は磁気ディスク１３の表面から浮上し続けることができる。
【００３２】
ここで、図３を参照しつつ変位規制部材２６の構成を詳述する。平板部材２８には、静止位置に位置決めされる各アクチュエータアーム２０の媒体対向面に向き合わせられる平坦面４１が規定される。各平坦面４１は、対応するアクチュエータアーム２０の移動軌跡に平行に広がればよい。その他、変位規制部材２６には、最上のアクチュエータアーム２０の裏側すなわち上側でアクチュエータアーム２０に向き合わせられる平坦面４２や、最下のアクチュエータアーム２０の裏側すなわち下側でアクチュエータアーム２０に向き合わせられる平坦面４３が同様に規定されてもよい。
【００３３】
各平坦面４１、４２、４３には、対応するアクチュエータアーム２０に向かって突き出る突起４４が一体に形成される。突起４４は例えばドーム形状に形作られればよい。各突起４４の先端は、対応するアクチュエータアーム２０の媒体対向面に所定の間隔ｄで向き合わせられる。このとき、突起４４の先端は、磁気ディスク１３の表面（裏面）を含む水平面よりもアクチュエータアーム２０の媒体対向面に接近する。しかも、各突起４４は、支軸１９の中心軸２９とアクチュエータアーム２０の重心３１とを含む垂直平面３２よりも磁気ディスク１３側に偏倚して配置される。
【００３４】
いま、磁気ディスク１３の静止中に規定の静止位置でアクチュエータアーム２０が大きな衝撃を受ける場面を想定する。アクチュエータアーム２０は任意の方向に撓む。例えばアクチュエータアーム２０の先端は磁気ディスク１３に向かって変位する。図４に示されるように、アクチュエータアーム２０が規定の変位量ｄ（＝間隔）で撓むと、突起４４はアクチュエータアーム２０を受け止める。その結果、アクチュエータアーム２０の撓みは制限される。こうしてアクチュエータアーム２０と磁気ディスク１３との衝突は回避される。
【００３５】
この時点で突起４４やアクチュエータアーム２０の変形で完全に衝撃が吸収されないと、図４から明らかなように、アクチュエータアーム２０にはさらに捻れ変形が引き起こされる。突起４４の衝突にも拘わらずアクチュエータアーム２０の重心３１の変位は継続される。ただし、前述のように突起４４は重心３１よりも磁気ディスク１３側に配置されることから、アクチュエータアーム２０は必ず変位規制部材２６の平坦面４１側に捻れる。その結果、アクチュエータアーム２０の内側（スピンドルモータ１４に近い側）は磁気ディスク１３の表面から遠ざかる。したがって、アクチュエータアーム２０と磁気ディスク１３との衝突を回避しつつ十分に衝撃は吸収されることができる。
【００３６】
アクチュエータアーム２０が撓むと、図５に示されるように、ロードバー２４は支軸１９に向かって引き寄せられる。しかしながら、前述のようにアクチュエータアーム２０の撓みが抑制されれば、ロードバー２４の変位量は抑制される。したがって、ロードバー２４の離脱すなわち落下は確実に防止されることができる。ロードバー２４の長さはできる限り縮小されることができる。その一方で、アクチュエータアーム２０の撓みが十分に抑制されないと、ロードバー２４はランプ部材２５から落下してしまうことがある。
【００３７】
前述のようなＨＤＤ１１では、変位規制部材２６と各アクチュエータアーム２０との間に規定の間隔ｄが設定されなければならない。間隔ｄが狭すぎると、アクチュエータアーム２０の揺動時にアクチュエータアーム２０と変位規制部材２６とが相互に接触してしまう。浮上ヘッドスライダ２３上の磁気ヘッドの位置決めに支障をきたす。その一方で、間隔ｄが広すぎれば、アクチュエータアーム２０の撓みが十分に抑制されることができず、その結果、アクチュエータアーム２０と磁気ディスク１３との間で衝突が引き起こされる。前述の変位規制部材２６では、各突起４４とアクチュエータアーム２０の媒体対向面との間で間隔ｄは設定されればよい。平坦面４１全体が高い精度で仕上げられる場合に比べて、製造の精度や手間は著しく軽減されることができる。低コストで変位規制部材２６は製造されることができる。
【００３８】
特に、１対のアクチュエータアーム２０の間に平板部材２８が配置される場合には、平板部材２８の表面側だけでなく裏面側でも突起４４とアクチュエータアーム２０との間に規定の間隔ｄが確保されなければならない。こういった場合でも、変位規制部材２６によれば、平板部材２８表裏の平坦面４１全体とアクチュエータアーム２０とが規定の間隔ｄで隔てられる場合に比べて、変位規制部材２６の位置決め精度や取り付け精度は著しく軽減されることができる。
【００３９】
図６は本発明の第２実施形態に係るハードディスク駆動装置（ＨＤＤ）１１ａの内部構造を概略的に示す。この第２実施形態では、前述と同様に、磁気ディスク１３の外側で変位規制部材４５が配置される。この変位規制部材４５は、前述の変位規制部材２６と同様に、筐体本体１２に固定される土台４６から水平方向に磁気ディスク１３の外縁に向かって広がる複数枚の平板部材４７を備える。変位規制部材４５は例えば硬質プラスチック材料から成型されればよい。その他、前述の第１実施形態と均等な作用や機能を発揮する構成には同一の参照符号が付与される。
【００４０】
図７から明らかなように、平板部材４７の端面には、磁気ディスク１３の外周面に向き合うシュラウド面４８が規定される。シュラウド面４８は、規定の間隔ｓで磁気ディスク１３の外周面に向き合わせられる。シュラウド面４８の働きで、磁気ディスク１３の回転中に磁気ディスク１３の外周面に沿って生起される気流は整流されることができる。そういった気流に基づく磁気ディスク１３の振動やぶれは極力抑制されることができる。その結果、浮上ヘッドスライダ２３は安定した浮上量で磁気ディスク１３の表面から浮上し続けることができる。その他、平板部材４７には、前述の変位規制部材２６と同様に、平坦面４１、４２、４３や突起４４が形成される。
【００４１】
図８は本発明の第３実施形態に係るハードディスク駆動装置（ＨＤＤ）１１ｂの内部構造を概略的に示す。この第３実施形態では、磁気ディスク１３の静止時にヘッドアクチュエータ１８のアクチュエータアーム２０は所定の静止位置で磁気ディスク１３の外縁よりも外側に待避する。かかる構成によれば、たとえアクチュエータアーム２０が大きく撓んでもアクチュエータアーム２０と磁気ディスク１３との衝突は確実に回避されることができる。しかも、前述のような変位規制部材２６の働きによれば、ロードバー２４の離脱すなわち落下は確実に防止されることができる。アクチュエータアーム２０の静止位置でロードバー２４は確実にランプ部材２５上に保持されることができる。その他、前述の第１実施形態と均等な作用や機能を発揮する構成には同一の参照符号が付与される。
【００４２】
前述の変位規制部材２６、４５には、例えば図９に示されるように、所定の間隔で磁気ディスク１３の表裏面に向き合わせられる突起５１が形成されてもよい。特に、こういった突起５１は、データゾーン１７やランディングゾーンの外側で磁気ディスク１３に向き合わせられることが望まれる。例えば大きな衝撃に基づき磁気ディスク１３が変位しても、データゾーン１７やランディングゾーンの外側で磁気ディスク１３は突起５１に受け止められる。磁気ディスク１３の変位は所定の変位量で制限される。こうしてアクチュエータアーム２０と磁気ディスク１３との衝突は一層確実に回避されることができる。突起５１は例えばドーム形状に形成されればよい。
【００４３】
以上のような変位規制部材２６、４５は、磁気ディスクその他の磁気記録媒体を利用する磁気記録媒体駆動装置のほか、その他のいかなる記録媒体駆動装置に組み込まれてもよい。
【００４４】
（付記１）  記録媒体と、媒体対向面で記録媒体に向き合わせられ、所定の静止位置から支軸回りで揺動するヘッドアクチュエータと、ヘッドアクチュエータが静止位置に位置する際にヘッドアクチュエータの媒体対向面に向き合わせられる突起とを備えることを特徴とする記録媒体駆動装置。
【００４５】
（付記２）  付記１に記載の記録媒体駆動装置において、前記ヘッドアクチュエータは、前記静止位置で記録媒体の外縁よりも外側にヘッドアクチュエータの先端を位置決めすることを特徴とする記録媒体駆動装置。
【００４６】
（付記３）  付記２に記載の記録媒体駆動装置において、前記突起は、前記支軸の中心軸と、静止位置に位置するヘッドアクチュエータの重心とを含む１平面よりも記録媒体側に配置されることを特徴とする記録媒体駆動装置。
【００４７】
（付記４）  付記１〜３のいずれかに記載の記録媒体駆動装置において、前記突起はドーム形状に形成されることを特徴とする記録媒体駆動装置。
【００４８】
（付記５）  付記４に記載の記録媒体駆動装置において、表面で前記突起を受け止める平板部材をさらに備え、この平板部材の端面には、記録媒体の外周面に向き合うシュラウド面が規定されることを特徴とする記録媒体駆動装置。
【００４９】
（付記６）  記録媒体と、媒体対向面で記録媒体に向き合わせられ、所定の静止位置で記録媒体の外縁よりも外側に待避するヘッドアクチュエータと、ヘッドアクチュエータが静止位置に位置する際にヘッドアクチュエータの媒体対向面に向き合わせられる変位規制部材とを備えることを特徴とする記録媒体駆動装置。
【００５０】
（付記７）  記録媒体と、所定の間隔で記録媒体の表面に向き合わせられる突起とを備えることを特徴とする記録媒体駆動装置。
【００５１】
（付記８）  付記７に記載の記録媒体駆動装置において、前記突起は、前記記録媒体の変位時に記録媒体上のデータゾーンの外側で記録媒体を受け止めることを特徴とする記録媒体駆動装置。
【００５２】
（付記９）  付記７または８に記載の記録媒体駆動装置において、前記突起はドーム形状に形成されることを特徴とする記録媒体駆動装置。
【００５３】
（付記１０）  付記１〜９のいずれかに記載の記録媒体駆動装置において、記録媒体駆動装置はハードディスク駆動装置であることを特徴とする記録媒体駆動装置。
【図面の簡単な説明】
【００５４】
【図１】本発明の第１実施形態に係るハードディスク駆動装置（ＨＤＤ）の構造を概略的に示す平面図である。
【図２】図１の２−２線に沿ったＨＤＤの部分拡大断面図であって、ランプ部材の構造および機能を概略的に示す図である。
【図３】図１の３−３線に沿ったＨＤＤの部分拡大断面図であって、変位規制部材の構造を概略的に示す図である。
【図４】図３の部分拡大図であって、変位規制部材の働きを概略的に示す図である。
【図５】変位規制部材およびアクチュエータアームの側面図である。
【図６】本発明の第２実施形態に係るＨＤＤの内部構造を概略的に示す平面図である。
【図７】第２実施形態に係るＨＤＤに組み込まれる変位規制部材の構造を概略的に示す部分切り欠き拡大平面図である。
【図８】本発明の第３実施形態に係るＨＤＤの内部構造を概略的に示す平面図である。
【図９】変位規制部材の一変形例を示す変位規制部材の部分拡大断面図である。
【符号の説明】
【００５５】
１１  記録媒体駆動装置としてのハードディスク駆動装置（ＨＤＤ）、１３  記録媒体としての磁気ディスク、１７  データゾーン、１８  ヘッドアクチュエータ、１９  支軸、２０  アクチュエータアーム、２６  変位規制部材、２８  平板部材、２９  中心軸、３１  重心、３２  平面、４４  突起、４５  変位規制部材、４８  シュラウド面、５１  突起。
【図１】
2006351199.tif 000003
【図２】
2006351199.tif 000004
【図３】
2006351199.tif 000005
【図４】
2006351199.tif 000006
【図５】
2006351199.tif 000007
【図６】
2006351199.tif 000008
【図７】
2006351199.tif 000009
【図８】
2006351199.tif 000010
【図９】
2006351199.tif 000011
【手続補正書】
【提出日】平成18年9月4日(2006.9.4)
【手続補正１】
【補正対象書類名】特許請求の範囲
【補正対象項目名】全文
【補正方法】変更
【補正の内容】
【特許請求の範囲】
【請求項１】
記録媒体と、筐体に固定され、記録媒体の媒体垂直方向の変位を抑制する変位規制部材とを備える記録媒体駆動装置であって、変位規制部材の媒体対向面に突起を有し、記録媒体が媒体垂直方向に変位したときに、記録媒体と突起とが接触することで記録媒体の媒体垂直方向への変位を抑制することを特徴とする記録媒体駆動装置。
【請求項２】
請求項１に記載の記録媒体駆動装置において、前記記録媒体が媒体垂直方向に変位したときに、前記記録媒体上のデータゾーンの外側で前記記録媒体と前記突起とが接触することで前記記録媒体の媒体垂直方向への変位を抑制することを特徴とする記録媒体駆動装置。
【請求項３】
請求項１または２に記載の記録媒体駆動装置において、前記突起はドーム形状に形成されることを特徴とする記録媒体駆動装置。